(57)【要約】      （修正有）【課題】液体の配線ボックスへの滲入を防止できるポンプ装置を提供する。【解決手段】ポンプ装置のバックカバー６０の外側面６２に形成された取付け台６３に取り付けられる配線ボックス７０が、漏れ防止パッド８０と、防水カバー９０とにより覆われる。【選択図】図４
0003227604.tif 000002
【実用新案登録請求の範囲】
【請求項１】
基部及び該基部から所定の軸線に沿って該基部の一側へ延伸するサイドカバーを有する保持台と、
中空の環状に形成されていると共に、前記保持台の前記サイドカバーの隣に保持されるサポート枠と、
前記サポート枠の内側に保持されるように、前記保持台に取り付けられているモータユニットと、
前記モータユニットにより駆動されて前記軸線を回転軸として前記基部の隣において回転するように配置されている羽根車と、
前記羽根車を覆うように前記基部に取り付けられているフロントカバーと、
前記保持台の前記サイドカバーの内側に取り付けられると共に、前記基部と共に前記サポート枠及び前記モータユニットを保持固定するバックカバーと、を備えたポンプ装置であって、
前記バックカバーは、
前記基部側に面する内側面と、
前記内側面の反対側にある外側面と、
前記内側面から外側面まで延伸して前記バックカバーを貫通する通路と、
前記通路の前記外側面における開口の周縁から環状に突起するように形成された取付け台と、を有するように形成されており、
更に、前記取付け台は、
前記外側面と同じ側に面する第１の先端面と、
前記第１の先端面と前記通路との間に介在し、前記第１の先端面より更に前記外側面が面する側に向かって延伸して先端に環状の第２の先端面を有する突起部と、を有するように形成されており、
更に、該ポンプ装置は、
前記取付け台の前記第２の先端面に取り付けられている配線ボックスと、
前記配線ボックスと前記第２の先端面との間に介在するように配置されている漏れ防止パッドと、
前記配線ボックスの外側の少なくとも一部を覆うと共に、前記第１の先端面に当接するように前記取付け台に取り付けられている防水カバーと、を備えていることを特徴とするポンプ装置。
【請求項２】
前記サイドカバーは、前記基部から延伸する先端部を有し、該先端部は、前記第１の先端面よりも更に前記外側面が面する側に向かって延伸した位置にあるように形成されていることを特徴とする請求項１に記載のポンプ装置。
【請求項３】
前記サイドカバーの前記先端部は、前記防水カバーの上側にあって、且つ、前記サイドカバーの外側へ突起するストッパーが形成されていることを特徴とする請求項２に記載のポンプ装置。
【請求項４】
前記保持台の前記基部は、前記フロントカバー側に面する第１の表面と前記バックカバー側に面する第２の表面と、前記第１の表面から前記第２の表面まで延伸して前記基部を貫通する保持孔と、を有するように形成されており、
前記サイドカバーは環状に形成されて前記サポート枠は前記サイドカバーの環内空間内に配置されており、
中空の環状に形成された前記サポート枠は、前記軸線に沿って延伸する内孔が形成されており、前記モータユニットは、前記保持台の前記基部の前記保持孔と、前記サポート枠の前記内孔とに取り付けられていることを特徴とする請求項１に記載のポンプ装置。
【考案の詳細な説明】
【技術分野】
【０００１】
本考案はポンプ装置に関し、特に、液体の配線ボックスへの滲入を防止できるポンプ装置に関する。
【背景技術】
【０００２】
特許文献１に記載される従来のキャンドモータポンプ装置はフロントカバーと、歯車と、バックカバーと、固定軸と、モータとを備えており、該モータはステータと、フレーム手段と、モータバックフレームと、ロータとにより構成されている。該モータのロータはカップ状に形成されたバックカバーにより覆われており、該バックカバーの前端にあるフランジでフロントカバーとモータのフランジとを固定する。また、通常モータバックフレームには配線ボックスが配置されて該モータを制御する配線や回路基板を収容する。
【０００３】
このように構成されたキャンドモータポンプ装置は、液体の供給に用いられるが、供給する液体が腐食性物質である場合、配管やタンクから漏れ出してキャンドモータポンプ装置の表面に到達する可能性があり、そして配線ボックスやモータまで滲入するとモータの故障の原因になる。
【先行技術文献】
【特許文献】
【０００４】
【特許文献１】台湾特許第Ｉ４４１９８４号明細書
【考案の概要】
【考案が解決しようとする課題】
【０００５】
本考案は上記問題点に鑑見て、液体の配線ボックスへの滲入を防止できるポンプ装置の提供を目的とする。
【課題を解決するための手段】
【０００６】
前記目的を達成するための手段として、本考案は、基部及び該基部から所定の軸線Ｌに沿って該基部の一側へ延伸するサイドカバーを有する保持台と、中空の環状に形成されていると共に、前記保持台の前記サイドカバーの隣に保持されるサポート枠と、前記サポート枠の内側に保持されるように、前記保持台に取り付けられているモータユニットと、前記モータユニットにより駆動されて前記軸線Ｌを回転軸として前記基部の隣に回転するように配置されている羽根車と、前記羽根車を覆うように前記基部に取り付けられているフロントカバーと、前記保持台の前記サイドカバーの内側に取り付けられると共に、前記基部と共に前記サポート枠及び前記モータユニットを保持固定するバックカバーと、を備えたポンプ装置であって、前記バックカバーは、前記基部側に面する内側面と、前記内側面の反対側にある外側面と、前記内側面から外側面まで延伸して前記バックカバーを貫通する通路と、前記通路の前記外側面における開口の周縁から環状に突起するように形成された取付け台と、を有するように形成されており、更に、前記取付け台は、前記外側面と同じ側に面する第１の先端面と、前記第１の先端面と前記通路との間に介在し、前記第１の先端面より更に前記外側面が面する側に向かって延伸して先端に環状の第２の先端面を有する突起部と、を有するように形成されており、更に、該ポンプ装置は、前記取付け台の前記第２の先端面に取り付けられている配線ボックスと、前記配線ボックスと前記第２の先端面との間に介在するように配置されている漏れ防止パッドと、前記配線ボックスの外側の少なくとも一部を覆うと共に、前記第１の先端面に当接するように前記取付け台に取り付けられている防水カバーと、を備えていることを特徴とするポンプ装置を提供する。
【考案の効果】
【０００７】
上記構成によれば、本考案の配線ボックスは漏れ防止パッドと防水カバーとにより覆われて保護されているので、液体の配線ボックスへの滲入を防止し、従来より信頼性が高くて使用寿命も長いポンプ装置を提供することができる。
【図面の簡単な説明】
【０００８】
【図１】本考案のポンプ装置の好ましい実施形態の外部構成が示される斜視図である。
【図２】本考案のポンプ装置の好ましい実施形態の内部構成が示される分解斜視図である。
【図３】本考案のポンプ装置の好ましい実施形態の内部構成が示される断面図である。
【図４】本考案のポンプ装置の好ましい実施形態における配線ボックス周辺の構成が示される分解斜視図である。
【図５】本考案のポンプ装置の好ましい実施形態における配線ボックス周辺の構成が示される部分切り欠き斜視断面図である。
【図６】本考案のポンプ装置の好ましい実施形態における配線ボックス周辺の構成が示される要部断面図である。
【考案を実施するための形態】
【０００９】
以下、本考案に係るポンプ装置の実施形態について、図面を参照して説明する。
【００１０】
図１は本考案のポンプ装置の好ましい実施形態の外部構成が示される斜視図であり、図２はその内部構成が示される分解斜視図であり、図３はその内部構成が示される断面図である。
【００１１】
図示のように、本考案のポンプ装置は、基部１１及び該基部１１から所定の軸線Ｌに沿って該基部１１の一側（図１、図２における右下側）へ延伸するサイドカバー１２を有する保持台１０と、中空の環状に形成されていると共に、保持台１０のサイドカバー１２の隣（内側）に保持されるサポート枠２０と、サポート枠２０の内側に保持されるように、保持台１０に取り付けられているモータユニット３０と、モータユニット３０により駆動されて軸線Ｌを回転軸として基部１１の隣に回転するように配置されている羽根車４０と、羽根車４０を覆うように基部１１に取り付けられているフロントカバー５０と、保持台１０のサイドカバー１２の内側に取り付けられると共に、基部１１と共にサポート枠２０及び前記モータユニット３０を保持固定するバックカバー６０と、を備えている。
【００１２】
この実施形態において、保持台１０の基部１１は、フロントカバー５０側に面する第１の表面１１１と、バックカバー６０側に面する第２の表面１１２と、第１の表面１１１から第２の表面１１２まで延伸して基部１１を貫通する保持孔１１３と、を有するように形成されている。
【００１３】
この実施形態において、サイドカバー１２は環状に形成され、サポート枠２０はサイドカバー１２の環内空間１２６内に配置されている。
【００１４】
この実施形態において、中空の環状に形成されたサポート枠２０は、軸線Ｌに沿って延伸する内孔２１が形成されており、モータユニット３０は、保持台１０の基部１１の保持孔１１３と、サポート枠２０の内孔２１とに取り付けられている。
【００１５】
バックカバー６０は、基部１１側に面する内側面６１と、内側面６１の反対側にある外側面６２と、内側面６１から外側面６２まで延伸してバックカバー６０を貫通する通路６４と、通路６４の外側面６２における開口の周縁から環状に突起するように形成された取付け台６３と、を有するように形成されている。
【００１６】
ここで、取付け台６３は、外側面６２と同じ側に面する第１の先端面６３３と、第１の先端面６３３と通路６４との間に介在し、第１の先端面６３３より更に外側面６２が面する側に向かって延伸して先端に環状の第２の先端面６３２がある突起部６３１と、を有するように形成されている。
【００１７】
図４は本考案のポンプ装置の好ましい実施形態における配線ボックス周辺の構成が示される分解斜視図であり、図５はその一部切り欠き斜視断面図である。
【００１８】
図示のように、本考案のポンプ装置は、取付け台６３の第２の先端面６３２に取り付けられている配線ボックス７０と、配線ボックス７０と第２の先端面６３２との間に介在するように配置されている漏れ防止パッド８０と、配線ボックス７０の外側の少なくとも一部（この実施形態では上側及び両側）を覆うと共に、第１の先端面６３３に当接するように取付け台６３に取り付けられている防水カバー９０と、を備えている。また、図４に示されているように、この実施形態において、防水カバー９０が当接する第１の先端面６３３は、突起部６３１の上側に１個、そして両側に１個ずつ（突起部６３１の裏側にある１個は図中では突起部６３１により遮られて示されていない）形成され、そしてすべての第１の先端面６３３は同一の平面上にあるように形成されている。
【００１９】
また、この実施形態において、サイドカバー１２は、基部１１から延伸する先端部１２２を有し、該先端部１２２は、取付け台６３の各第１の先端面６３３よりも更に外側面６２が面する側に向かって延伸した位置にあるように配置形成されている。
【００２０】
更に、サイドカバー１２の先端部１２２は、防水カバー９０の上側にあって、且つ、サイドカバー１２の外側へ突起するストッパー１２５が形成されている。
【００２１】
この構成により、配管やタンクから漏れ出した液体がサイドカバー１２の上まで到達しても、突起するストッパー１２５により阻まれて防水カバー９０やボックス本体７１に滲入することができない。
【００２２】
この実施形態において、配線ボックス７０は漏れ防止パッド８０を介して、複数本のネジ７１２により取付け台６３の第２の先端面６３２に取り付けられている略環状のボックス本体７１と、外側面６２が面する側においてボックス本体７１に取り付けられている蓋７２と、ボックス本体７１と蓋７２との間に介在する気密手段７３と、を有するように構成されている。また、この実施形態において、ボックス本体７１には下側に向かって開口する配線入り口７１１が形成されている。
【００２３】
この実施形態において、防水カバー９０は中空に形成されていると共に、取付け台６３の各第１の先端面６３３に当接する当接端部９１と、当接端部９１の反対側にある外側端部９２と、下側にある下側開口９３と、を有するように形成されていると共に、当接端部９１には３個の第１の先端面６３３にそれぞれ対応する３つの取り付け板９１１が形成されており、各取り付け板９１１をそれぞれ貫通して対応の第１の先端面６３３にねじ込まれる固定ネジ９１２により、取付け台６３に固定されている。
【００２４】
また、この実施形態では、サイドカバー１２の先端部１２２は、図６における左右方向において、当接端部９１と外側端部９２との間にある位置まで延伸するように構成されている。
【００２５】
また、以上の構成により、配管やタンクから漏れ出した液体がサイドカバー１２の上ではなく防水カバー９０まで到達しても、防水カバー９０という存在により阻まれてボックス本体７１に滲入することは発生しない。
【００２６】
以上、本考案の好ましい実施形態及び変化例を説明したが、本考案はこれらに限定されるものではなく、最も広い解釈の精神および範囲内に含まれる様々な構成として、全ての修飾および均等な構成を包含するものとする。
【産業上の利用可能性】
【００２７】
本考案に係るポンプ装置は、配線ボックスは漏れ防止パッドと防水カバーとにより覆われて保護されているので、液体の配線ボックスへの滲入を防止し、従来より信頼性が高くて使用寿命も長い製品を提供することができる。
【符号の説明】
【００２８】
１０    保持台
１１    基部
１１１  第１の表面
１１２  第２の表面
１１３  保持孔
１２    サイドカバー
１２２  先端部
１２５  ストッパー
１２６  環内空間
２０    サポート枠
２１    内孔
３０    モータユニット
４０    羽根車
５０    フロントカバー
６０    バックカバー
６１    内側面
６２    外側面
６３    取付け台
６３１  突起部
６３２  第２の先端面
６３３  第１の先端面
６４    通路
７０    配線ボックス
７１    ボックス本体
７１１  配線入り口
７１２  ネジ
７２    蓋
７３    気密手段
８０    漏れ防止パッド
９０    防水カバー
９１    当接端部
９１１  取り付け板
９１２  固定ネジ
９２    外側端部
９３    下側開口
Ｌ      軸線
【図１】
0003227604.tif 000003
【図２】
0003227604.tif 000004
【図３】
0003227604.tif 000005
【図４】
0003227604.tif 000006
【図５】
0003227604.tif 000007
【図６】
0003227604.tif 000008